(57)【特許請求の範囲】
【請求項１】
回転作用により導入通路より玉を受け入れその玉を導出通路へ送出する玉送出部材と、該玉送出部材に回転作用を与える動力装置と、前記玉送出部材より導出された玉を計数する玉計数装置からなり、回転する玉送出部材に玉の過負荷が掛かった時に玉送出部材との係合を一旦解除して過負荷を除去するクリックストップ部材を、動力装置により駆動される支軸に直交して設けたうえ、その支軸に玉送出部材を遊嵌して前記クリップストップ部材と係合させたパチンコ機の玉払出装置であって、
玉送出部材の内周に設けられた隣合う係止部の一方の係止部から隣の係止部に、圧縮されながら移行するクリックストップ部材が、係止部間の山を越えた瞬間に反発伸長して隣の係止部に係合することにより、遊嵌された玉送出部材が瞬間的に玉送出方向と逆方向に回転されて、玉の過負荷を除去するようにしたことを特徴とするパチンコ機の玉払出装置。
【請求項２】
玉送出部材の外周に玉保持部を複数設けたうえ、その内周にはクリックストップ部材が係合する係止部を前記玉保持部に対応させて同数設けた請求項１に記載のパチンコ機の玉払出装置。
【請求項３】
二組の玉送出部材を支軸に遊嵌し、一方の玉送出部材の相隣り合う二つの玉受入れ部の間に、他方の玉送出部材の玉受入れ部を位置させて、二組の玉送出部材を交互に玉受入れ可能に挿着した請求項１または２に記載のパチンコ機の玉払出装置。
【請求項４】
クリップストップ部材が、圧縮コイルばねと、その両端に備えられたピンとにより構成されたものである請求項１〜３の何れかに記載のパチンコ機の玉払出装置。
【請求項５】
クリップストップ部材が、圧縮コイルばねと、その両端に備えられたボールとにより構成されたものである請求項１〜３の何れかに記載のパチンコ機の玉払出装置。
【請求項６】
クリップストップ部材が、軸穴部の左右に延伸した弾力性を有するアームの先端に飛込爪部が設けられたものである請求項１〜３の何れかに記載のパチンコ機の玉払出装置。
【請求項７】
玉送出部材との係合を一旦解除するためのクリップストップ部材の脱出トルクが、動力装置により支軸に与えられる駆動トルクより小さいものである請求項１〜６の何れかに記載のパチンコ機の玉払出装置。
【発明の詳細な説明】
【０００１】
【発明の属する技術分野】
本発明は、貸玉や賞玉を払い出すためのパチンコ機の玉払出装置に関するものである。
【０００２】
【従来の技術】
貸玉や賞玉を玉受け皿に払い出すためのパチンコ機の玉払出装置として、動力装置からの回転作用により導入通路より玉を受け入れ、その玉を導出通路へ送出する玉送出部材が装着された玉払出装置を用いて玉を払い出すものが知られている。しかしながら、玉タンクの玉不足等の何らかの理由により、導入通路から流下してくる玉がとぎれたりして玉の流れが不連続になると、玉送出部材の玉保持部への流入に不具合を生じ、玉噛み等を発生させ玉送出部材に掛かる玉の圧力が過負荷になる、玉送出部材の回転が停止して玉払い出しが不可能になるという問題を引き起こすことがあり、この噛み玉を除去して再び玉払出しが可能な状態に復帰させることは大変煩わしい作業を必要とするものであった。
【０００３】
【発明が解決しようとする課題】
本発明は上記した従来の問題点を解決し、玉噛み等により玉送出部材に過負荷が掛かった時にも、玉送出部材の回転が停止されることなく過負荷を除去して引き続いて玉を払いだすことの可能なパチンコ機の玉払出装置を提供するためになされたものである。
【０００４】
【課題を解決するための手段】
上記の課題を解決するためになされた本発明のパチンコ機の玉払出装置は、回転作用により導入通路より玉を受け入れその玉を導出通路へ送出する玉送出部材と、該玉送出部材に回転作用を与える動力装置と、前記玉送出部材より導出された玉を計数する玉計数装置からなり、回転する玉送出部材に玉の過負荷が掛かった時に玉送出部材との係合を一旦解除して過負荷を除去するクリックストップ部材を、動力装置により駆動される支軸に直交して設けたうえ、その支軸に玉送出部材を遊嵌して前記クリップストップ部材と係合させたパチンコ機の玉払出装置であって、
玉送出部材の内周に設けられた隣合う係止部の一方の係止部から隣の係止部に、圧縮されながら移行するクリックストップ部材が、係止部間の山を越えた瞬間に反発伸長して隣の係止部に係合することにより、遊嵌された玉送出部材が瞬間的に玉送出方向と逆方向に回転されて、玉の過負荷を除去するようにしたことを特徴とするものである。
【０００５】
なお、玉送出部材の外周に玉保持部を複数設けたうえ、その内周にはクリックストップ部材が係合する係止部を前記玉保持部に対応させて同数設けることができる。また、二組の玉送出部材を支軸に遊嵌し、一方の玉送出部材の相隣り合う二つの玉受入れ部の間に、他方の玉送出部材の玉受入れ部を位置させて、二組の玉送出部材を交互に玉受入れ可能に挿着したものとするのが望ましい。
【０００６】
本発明のパチンコ機の玉払出装置においては、クリップストップ部材として、圧縮コイルばねと、その両端に備えられたピンとにより構成されたものを用いることができ、また、圧縮コイルばねと、その両端に備えられたボールとにより構成されたものを用いることができ、さらに、軸穴部の左右に延伸した弾力性を有するアームの先端に飛込爪部が設けられたものを用いることもできる。
【０００７】
本発明のパチンコ機の玉払出装置においては、クリップストップ部材の玉送出部材との係合を一旦解除するための脱出トルクが、動力装置により支軸に与えられる駆動トルクより小さいものとするのが望ましい。
【０００８】
本発明のパチンコ機の玉払出装置は、クリックストップ部材を動力装置の出力軸に嵌挿された支軸に直交して設けたうえ、その支軸に玉送出部材を遊嵌して前記クリップストップ部材と係合させることによって、回転する玉送出部材に玉の過負荷が掛かった時に玉送出部材との係合を一旦解除して過負荷を除去したのち、再び玉送出部材をクリップストップ部材と係合させて、玉噛み等による玉払い出し停止を起こすことなく玉をスムーズに払い出すことができる。
【０００９】
【発明の実施の形態】
以下に本発明の好ましい実施形態を図面により説明する。
図１〜２は、本発明のパチンコ機の玉払出装置の一実施形態を示す図であって、図中１は玉払出装置の本体、２、３は本体１内に設けた二組の玉送出部材であり、各玉送出部材２、３は一組の動力装置４により駆動される回転作用により導入通路５、６より玉を受入れ、その玉を導出通路７、８に移送し送出して玉計数装置９、１０により計数したうえ、玉受け皿に送出するものである。
【００１０】
玉送出部材２は玉送出部材３と同一構造のものであって、回転体２ａの外周に複数の玉を受け入れる玉保持部２ｂが形成され、玉を回転の半径方向に出し入れするローター型としたものである。そして、玉送出部材２の内周には玉保持部２ｂに対応して複数のＶ型凹状の係止部２ｃが設けられており、クリップストップ部材１１と係合する。
【００１１】
図１〜２において、動力装置４の出力軸１２には支軸１３が嵌挿されて、支軸１３には角度をずらして支軸１３に直交して設けられた二つの穴部１４に二組のクリップストップ部材１１が嵌挿されている。さらに、支軸１３には玉送出部材２、３が遊嵌されて、クリップストップ部材１１と係合するように支軸１３に装着されており、支軸１３の回転によりクリップストップ部材１１が回転し、係合している玉送出部材２を回転させて玉を導出通路７、８に送出するものとなっている。ここで、クリックストップ部材１１は、過負荷クラッチとも呼ばれるものであって、圧縮コイルばね１１ａと、その両端にピン１１ｂが装着されて一体に構成されたものであり、１８０°方向に相対する二つのＶ型凹状の係止部２ｃ、２ｃに圧縮コイルばね１１ａが比較的伸長した状態で嵌挿されている。なお、支軸１３は必ずしも出力軸１２に嵌挿する必要はなく、出力軸１２に歯車を挿着しこの歯車と支軸１３に設けた歯車とを噛合させることによって、支軸１３と動力装置４とを係合させることもできる。
【００１２】
図２においては、導入通路５から流入する玉は定常状態で流れて一連に滑らかに玉保持部２ｂに流入している。しかしながら、玉タンクに貯留された玉が不足する等の何らかの理由により、導入通路５から流下してくる玉がとぎれたような場合には、図３に示すように玉の流れが不連続になることがある。そして、この玉の不連続な流れにより玉保持部２ｂへの玉の流入のタイミングが僅かにずれると、図４に示すように玉保持部２ｂと玉導入通路５出口側壁との間に玉噛みが発生して玉送出部材２のその後の回転が停止されて玉払出しが不可能になってしまい、遊技に支障を来すこととなる。
【００１３】
図４に示したような玉噛みが発生した場合には、本発明においては、図５に示すように、玉を噛み込んだ玉送出部材２は回転を停止したままであるが、クリックストップ部材１１は、支軸１３の回転トルク伝達によりＶ型凹状に設けられた係止部２ｃの谷斜面により圧縮されながら回転し、図６に示した隣接する二つの係止部２ｃ間の山、すなわちデッドポイント１５でクリックストップ部材１１は、最短に圧縮されて、反発力が最大に蓄積される。
【００１４】
そして、図７に示すように、クリックストップ部材１１のピン１１ｂ先端がデッドポイント１５を越えた瞬間、クリックストップ部材１１の圧縮力が開放され、圧縮コイルばね１１ａの反発力により隣接する次のＶ型凹状の係止部２ｃの谷底にまで伸長しようとする。玉送出部材２は支軸１３に遊嵌されているため玉の払出し方向と逆方向に回転可能であるので、クリックストップ部材１１の伸長により、瞬間的に僅かに逆方向に回転して、図８に示すように玉噛み状態を解除して、噛み込まれていた玉を玉保持部２ｂに受入れることができ、以後の玉を再び払出すことが可能な状態に玉払出し装置１を復帰させることができる。
【００１５】
玉払出し装置１には通常は、図１に示したように２組の玉送出部材２、３を挿着して、賞玉或いは貸玉を払い出すものとなっている。この２組の玉送出部材２、３の玉保持部を同位置として支軸１３に挿着すると、２組の玉送出部材２、３から同時に二つの玉が払い出されて、その識別が困難となり玉の計数を正確に行うことができない。そこで、本発明においては、図９〜１０に示すように玉送出装置２の相隣合二つの玉保持部２ｂ、２ｂ間に、他方の玉送出装置３の玉保持部３ｂが位置するように組み合わせて玉送出装置２、３を支軸１３に挿着するのが望ましい。玉保持部２ｂと３ｂの位置をずらすことによって、玉送出部材２、３から玉が同時に払い出されることなく、識別が容易となって玉を正確に計数することができる。なお、図９において二つのクリックストップ部材１１、１１同士は、直交させて玉送出部材２、３に挿着されたものであり、図１０においては二つのクリックストップ部材１１、１１同士は僅かに角度をずらして挿着されたものである。
【００１６】
既記したように、図１におけるクリックストップ部材１１は、圧縮コイルばね１１ａと、その両端にピン１１ｂが装着されて一体に構成されたものであるが、図１１に示すように、クリックストップ部材１６を、圧縮コイルばね１６ａと、その両端に備えられたボール１６ｂとにより構成されたものとすることができる。このクリックストップ部材１６により、図１２〜１３に示すように玉噛みが発生した時に、クリックストップ部材１６の伸縮作用により玉送出部材２を僅かに逆回転させて玉の噛み込みを解除することができる。
【００１７】
また、図１４に示すように，クリックストップ部材１７を、軸穴部１７ａの左右に延伸した弾力性を有するアームの先端に飛込爪部１７ｂが設けられたものとすることもでき、このクリックストップ部材１７を動力装置４により回転を与えられる支軸１３に結合し、この支軸１３に玉送出部材２、３を遊嵌することにより、図１５〜１６に示すように、玉噛みが発生した時に、クリックストップ部材１７の弾性力により玉送出部材２を僅かに逆回転させて玉の噛み込みを解除することができる。
【００１８】
そして、玉送出部材２、３との係合を一旦解除するためのクリップストップ部材１１の脱出トルクを、動力装置４により支軸１３に与えられる駆動トルクより小さいものとすることにより、玉送出部材２、３との係合を一旦解除することができ玉の噛み込みによる過負荷を除去することができる。
【００１９】
本発明のパチンコ機の玉払出装置は、クリックストップ部材を動力装置により駆動される支軸に直交して設けたうえ、その支軸に玉送出部材を遊嵌して前記クリップストップ部材と係合させることによって、回転する玉送出部材に玉の過負荷が掛かった時に玉送出部材との係合を一旦解除して過負荷を除去したのち、再び玉送出部材をクリップストップ部材と係合させて、玉噛み等による玉払い出し停止を起こすことなく玉をスムーズに払い出すことができる。
【００２０】
【発明の効果】
以上に説明したように、本発明のパチンコ機の玉払出装置は、導入通路から流下してくる玉がとぎれたりし玉噛み等が発生して玉送出部材の回転が停止された時に、クリップストップ部材と玉送出部材の係止部と係合を一旦解除して、クリックストップ部材のみを回転させて圧縮することにより、クリックストップ部材に反発力を蓄積し、クリックストップ部材のピン先端がデッドポイントを越えた瞬間、クリックストップ部材の反発力が開放されることにより、玉送出部材を瞬間的に僅かに逆方向に回転して、玉噛み状態を解除して引き続いて賞玉や貸玉を払出すことができる。このようなし玉払出し装置により、玉噛みが発生した時にも、従来のような玉抜きやパチンコ機の解体等の工数の掛かる作業を行う必要がなくなって、遊技者に快適な遊技を続行して提供することのできる利点がある。
【図面の簡単な説明】
【図１】  本発明の第１の実施形態であるクリックストップ部材を挿着した玉払出装置の正面図である。
【図２】  図１の側面断面図である。
【図３】  玉払出装置に玉が不連続に流入する状態を示す図である。
【図４】  玉払出装置内に玉が噛み込まれた状態を示す図である。
【図５】  クリックストップ部材１１のみが回転する状態を示す図である。
【図６】  クリックストップ部材１１がデッドポイントに達した状態を示す図である。
【図７】  クリックストップ部材１１がデッドポイントを僅かに越えた状態を示す図である。
【図８】  クリックストップ部材１１が次の係止部に係合して玉送出部材が逆回転する状態を示す図である。
【図９】  クリックストップ部材１１同士を直交させて、玉送出装置２の隣合う二つの玉保持部２ｂ、２ｂ間に、玉送出装置３の玉保持部３ｂを位置させた状態を示す図である。
【図１０】  クリックストップ部材１１同士の角度を僅かにずらして交差させて、玉送出装置２の隣合う二つの玉保持部２ｂ、２ｂ間に、玉送出装置３の玉保持部３ｂを位置させた状態を示す図である。
【図１１】  圧縮コイルばねの両端にボールが備えられたクリックストップ部材１６が挿着された玉送出装置を示す図である。
【図１２】  クリックストップ部材１６のみが回転する状態を示す図である。
【図１３】  クリックストップ部材１６が次の係止部に係合して玉送出部材が逆回転する状態を示す図である。
【図１４】  軸穴部の左右に延伸した弾力性を有するアームの先端に飛込爪部が設けられたクリックストップ部材１７が挿着された玉送出装置を示す図である。
【図１５】  クリックストップ部材１７のみが回転する状態を示す図である。
【図１６】  クリックストップ部材１７が次の係止部に係合して玉送出部材が逆回転する状態を示す図である。
【符号の説明】
１  玉払出装置の本体
２、３  玉送出部材
２ａ  回転体
２ｂ  玉保持部
２ｃ  係止部
４  動力装置
５、６  導入通路
７、８  導出通路
９、１０  玉計数装置
１１、１６、１７  クリップストップ部材
１１ａ、１６ａ  圧縮コイルばね
１１ｂ  ピン
１２  出力軸
１３  支軸
１４  穴部
１５  デッドポイント
１６ｂ  ボール
１７ａ  軸穴部
１７ｂ  飛び込み爪部
【図１】
0004477748.tif 000002
【図２】
0004477748.tif 000003
【図３】
0004477748.tif 000004
【図４】
0004477748.tif 000005
【図５】
0004477748.tif 000006
【図６】
0004477748.tif 000007
【図７】
0004477748.tif 000008
【図８】
0004477748.tif 000009
【図９】
0004477748.tif 000010
【図１０】
0004477748.tif 000011
【図１１】
0004477748.tif 000012
【図１２】
0004477748.tif 000013
【図１３】
0004477748.tif 000014
【図１４】
0004477748.tif 000015
【図１５】
0004477748.tif 000016
【図１６】
0004477748.tif 000017